(57)【特許請求の範囲】
【請求項１】
前身頃、股下部、及び後身頃から構成され、複数のシートが吸収体を挟持した状態で積
層された吸収性本体と、
前記吸収性本体の前記後身頃の両側縁から延出されたサイドフラップと、
前記サイドフラップの先端部分に配設された、前記前身頃と前記後身頃とを固定するための止着テープと、を備えたテープ型使い捨ておむつであって、
前記サイドフラップは、フィルム状に形成された伸縮弾性体を含んでなるとともに、前記サイドフラップは、前記吸収性本体の前記後身頃の前記両側縁に配設された別体のものであり、且つ、
前記止着テープは、基材の一方の端部側にフック材が付設されたものであり、
前記サイドフラップの根元側の部分及び前記サイドフラップの先端側の部分が共に伸縮性を有し、且つ、前記サイドフラップの根元側の部分における、前記止着テープの引張方向における伸張応力Ｐｂが、前記サイドフラップの先端側の部分における、前記止着テープの引張方向における伸張応力Ｐａよりも大となるように構成されてなり、
前記先端側の部分における、前記止着テープの引張方向における５０％伸張時の伸張応力Ｐａ（５０）が、１．５〜４Ｎ／２５ｍｍであり、前記根元側の部分における、前記止着テープの引張方向における５０％伸張時の伸張応力Ｐｂ（５０）が、２．５〜７．５Ｎ／２５ｍｍであり、前記伸張応力Ｐｂ（５０）は、前記伸張応力Ｐａ（５０）の１．５〜２．５倍の大きさであるように構成されてなるテープ型使い捨ておむつ。
【請求項２】
前記サイドフラップは、二以上の異なる弾性率を有する前記伸縮弾性体を含んでなる請求項１に記載のテープ型使い捨ておむつ。
【請求項３】
前記伸縮弾性体が、伸張状態で前記サイドフラップを構成するシートに貼着されている請求項１又は２に記載のテープ型使い捨ておむつ。
【請求項４】
前記サイドフラップは、三つの異なる弾性率を有する前記伸縮弾性体を含んでなる請求項１〜３のいずれか一項に記載のテープ型使い捨ておむつ。
【請求項５】
前記サイドフラップは、同じ弾性率を有する前記伸縮弾性体を含んでなり、
前記根元側の部分と前記先端側の部分とで、前記伸縮弾性体が、異なる伸張状態で前記サイドフラップを構成するシートに貼着されている請求項３に記載のテープ型使い捨ておむつ。
【請求項６】
前記サイドフラップは、同じ弾性率を有する前記伸縮弾性体を含んでなり、
前記伸張弾性体が、前記先端側の部分よりも、前記根元側の部分に多くの量配置されている請求項１に記載のテープ型使い捨ておむつ。
【請求項７】
前記サイドフラップは、同じ弾性率を有するフィルム状の前記伸縮弾性体を含んでなり、
前記フィルム状に形成された前記伸張弾性体が、前記根元側の部分に二層以上に積層された状態で配置されている請求項１に記載のテープ型使い捨ておむつ。
【請求項８】
前記伸縮弾性体は、前記根元側の部分と前記先端側の部分とにそれぞれ配置され、前記サイドフラップの根元側から先端側に向かう方向の中央部分にて、二以上の前記伸縮弾性体が重なった状態で配置されている請求項１〜７のいずれか一項に記載のテープ型使い捨ておむつ。
【発明の詳細な説明】
【技術分野】
【０００１】
本発明は、テープ型使い捨ておむつに関する。更に詳しくは、おむつを着用する際に、止着テープを簡便に止着することができるとともに、良好な着用感を得ることが可能なテープ型使い捨ておむつに関する。
【背景技術】
【０００２】
一般に、テープ型使い捨ておむつは、例えば、図１２に示すテープ型使い捨ておむつ１００のように、前身頃２、股下部４及び後身頃６の各部から構成され、複数のシート１８，２０が吸収体２２を挟持した状態で積層された吸収性本体１４と、前身頃２と後身頃６とを固定するための止着テープ１１０と、を備えるものである（例えば、特許文献１参照）。そして、このテープ型使い捨ておむつ１００は、吸収性本体１４の後身頃６の両側縁から延出されたサイドフラップ１０８を備え、このサイドフラップ１０８の先端に止着テープ１１０が配設されている。
【０００３】
このようなテープ型使い捨ておむつ１００によれば、着用者の排泄物は、吸収性本体を構成するシート１８の液透過性の部分を透過して吸収体２２に吸収されるとともに、通常、液不透過性の材料で構成されるシート２０によって外部への漏洩が防止され、排泄物をおむつ内部に保持することができる。また、止着テープ１１０によっておむつの前身頃２と後身頃６とを相互に固定することで、着用者に容易に装着させることができるという利点をも有するものである。
【０００４】
おむつを着用する際には、サイドフラップ１０８の先端に配置された止着テープ１１０を前身頃２側に移動させ、吸収性本体１４の前身頃に配設された被着部に止着することにより、おむつの前身頃２と後身頃６とを固定する。通常、サイドフラップ１０８は、その素材として不織布等が採用されているため、止着テープ１１０を前身頃２側に引き伸ばす際に、サイドフラップ１０８が止着テープ１１０の引張方向に伸張して、着用者の腰周りを固定することができる。また、サイドフラップ１０８は、腰周りの方向に伸縮性を有しているため、腰周りがきつくなり過ぎることをある程度防止することができる。
【先行技術文献】
【特許文献】
【０００５】
【特許文献１】特開２００３−２７５２４４号公報
【発明の概要】
【発明が解決しようとする課題】
【０００６】
しかしながら、例えば、幼児に対して、このようなテープ型使い捨ておむつを着用させる場合、幼児が動かずにじっとしていれば、止着テープを前身頃側に引き伸ばしておむつを容易に着用させることができるが、多くの幼児は、おむつ着用時に激しく動いてしまうため、着用に時間が掛かるという問題があった。特に、育児に追われて時間的にゆとりがない状況においては、簡便におむつの交換（着用）が可能なテープ型使い捨ておむつの開発が要望されている。
【０００７】
また、テープ型使い捨ておむつのサイドフラップは、全体が一様な素材のシートによって形成されているため、上述したような激しく動いている幼児等におむつを着用させる場合には、止着テープを引き伸ばし過ぎてしまってウエスト周りの締め付けがきつくなってしまったり、逆に、止着テープを十分に引き伸ばすことができず、ウエスト周りがゆるくなってしまうことがあり、適当な締め付け状態（着用状態）にて着用させることが難しいという問題もあった。
【０００８】
本発明は、このような従来技術の課題を解決するためになされたものであり、おむつを着用する際に、止着テープを簡便に止着することができるとともに、良好な着用感を得ることが可能なテープ型使い捨ておむつを提供するものである。
【課題を解決するための手段】
【０００９】
本発明者は、前記のような従来技術の課題を解決するために鋭意検討した結果、止着テープが接続されているサイドフラップを、吸収性本体から延出される根元側の部分よりも、止着テープが接続されている先端側の部分が小さな力で伸縮するように構成することによって、上記課題が解決されることに想到し、本発明を完成させた。具体的には、本発明により、以下のテープ型使い捨ておむつが提供される。
【００１０】
［１］  前身頃、股下部、及び後身頃から構成され、複数のシートが吸収体を挟持した状態で積層された吸収性本体と、前記吸収性本体の前記後身頃の両側縁から延出されたサイドフラップと、前記サイドフラップの先端部分に配設された、前記前身頃と前記後身頃とを固定するための止着テープと、を備えたテープ型使い捨ておむつであって、前記サイドフラップは、フィルム状に形成された伸縮弾性体を含んでなるとともに、前記サイドフラップは、前記吸収性本体の前記後身頃の前記両側縁に配設された別体のものであり、且つ、前記止着テープは、基材の一方の端部側にフック材が付設されたものであり、前記サイドフラップの根元側の部分及び前記サイドフラップの先端側の部分が共に伸縮性を有し、且つ、前記サイドフラップの根元側の部分における、前記止着テープの引張方向における伸張応力Ｐｂが、前記サイドフラップの先端側の部分における、前記止着テープの引張方向における伸張応力Ｐａよりも大となるように構成されてなり、前記先端側の部分における、前記止着テープの引張方向における５０％伸張時の前記伸張応力Ｐａ（５０）が、１．５〜４Ｎ／２５ｍｍであり、前記根元側の部分における、前記止着テープの引張方向における５０％伸張時の前記伸張応力Ｐｂ（５０）が、２．５〜７．５Ｎ／２５ｍｍであり、前記伸張応力Ｐｂ（５０）は、前記伸張応力Ｐａ（５０）の１．５〜２．５倍の大きさであるように構成されてなるテープ型使い捨ておむつ。
【００１１】
［２］  前記サイドフラップは、二以上の異なる弾性率を有する前記伸縮弾性体を含んでなる前記［１］に記載のテープ型使い捨ておむつ。
【００１３】
［３］  前記伸縮弾性体が、伸張状態で前記サイドフラップを構成するシートに貼着されている前記［１］又は［２］に記載のテープ型使い捨ておむつ。
【００１４】
［４］  前記サイドフラップは、三つの異なる弾性率を有する前記伸縮弾性体を含んでなる前記［１］〜［３］のいずれかに記載のテープ型使い捨ておむつ。
【００１５】
［５］  前記サイドフラップは、同じ弾性率を有する前記伸縮弾性体を含んでなり、前記根元側の部分と前記先端側の部分とで、前記伸縮弾性体が、異なる伸張状態で前記サイドフラップを構成するシートに貼着されている前記［３］に記載のテープ型使い捨ておむつ。
【００１６】
［６］  前記サイドフラップは、同じ弾性率を有する前記伸縮弾性体を含んでなり、前記伸張弾性体が、前記先端側の部分よりも、前記根元側の部分に多くの量配置されている前記［１］に記載のテープ型使い捨ておむつ。
【００１７】
［７］  前記サイドフラップは、同じ弾性率を有するフィルム状の前記伸縮弾性体を含んでなり、前記フィルム状に形成された前記伸張弾性体が、前記根元側の部分に二層以上に積層された状態で配置されている前記［１］に記載のテープ型使い捨ておむつ。
【００１８】
［８］  前記伸縮弾性体は、前記根元側の部分と前記先端側の部分とにそれぞれ配置され、前記サイドフラップの根元側から先端側に向かう方向の中央部分にて、二以上の前記伸縮弾性体が重なった状態で配置されている前記［１］〜［７］のいずれかに記載のテープ型使い捨ておむつ。
【発明の効果】
【００２１】
本発明によれば、おむつを着用する際に、止着テープを簡便に止着することができるとともに、良好な着用感を得ることができる。
【００２２】
即ち、本発明のテープ型使い捨ておむつは、止着テープが接続されているサイドフラップが、吸収性本体から延出される根元側の部分よりも、止着テープが接続されている先端側の部分が小さな力で伸縮するように構成されているため、幼児等が暴れてしまい、時間的ゆとりがない状況でのおむつ交換の際に、止着テープを簡単に引き伸ばして前身頃に固定することができ、短時間でおむつの交換を行うことができる。
【００２３】
特に、おむつを着用させる際に、止着テープ（換言すれば、止着テープと接続されたサイドフラップ）を伸ばし気味に取り付けても、その後、サイドフラップ内で力が分散されるため、適当な着用状態となり、良好な着用感を得ることができる。即ち、動き回る幼児等に対しては、動きを封じるようにしっかりと押さえて、多少強め（きつめ）に止着テープを取り付けても、サイドフラップによって力が分散されて、おむつ着用中においては、良好な着用感を得ることができる。
【図面の簡単な説明】
【００２４】
【図１】本発明のテープ型使い捨ておむつの一の実施形態を示す平面図であり、テープ型使い捨ておむつを展開し、トップシート側から見た状態を示す図である。
【図２】図１に示すテープ型使い捨ておむつのサイドフラップを拡大した拡大平面図である。
【図３】本発明のテープ型使い捨ておむつのサイドフラップの一例を示す平面図である。
【図４Ａ】サイドフラップの止着テープの引張方向における伸張応力を測定する際の、試験片の作製方法を示す平面図である。
【図４Ｂ】伸張応力の測定方法を説明するための平面図である。
【図４Ｃ】伸張応力の測定方法を説明するための平面図である。
【図５】本発明のテープ型使い捨ておむつのサイドフラップの他の例を示す平面図である。
【図６】本発明のテープ型使い捨ておむつのサイドフラップの更に他の例を示す平面図である。
【図７】本発明のテープ型使い捨ておむつのサイドフラップの更に他の例を示す平面図である。
【図８】本発明のテープ型使い捨ておむつのサイドフラップの更に他の例を示す平面図である。
【図９】本発明のテープ型使い捨ておむつのサイドフラップの更に他の例を示す平面図である。
【図１０】本発明のテープ型使い捨ておむつのサイドフラップの更に他の例を示す平面図である。
【図１１】本発明のテープ型使い捨ておむつのサイドフラップの更に他の例を示す平面図である。
【図１２】従来のテープ型使い捨ておむつを示す平面図であり、テープ型使い捨ておむつを展開し、トップシート側から見た状態を示す図である。
【発明を実施するための形態】
【００２５】
以下、本発明のテープ型使い捨ておむつを実施するための形態について、具体的に説明する。但し、本発明はその発明特定事項を備えるテープ型使い捨ておむつを広く包含するものであり、以下の実施形態に限定されるものではない。
【００２６】
なお、本明細書中において「テープ型使い捨ておむつ」とは、図１に示すテープ型使い捨ておむつ１のように、前身頃２、股下部４、及び後身頃６から構成され、複数のシート１８，２０が吸収体を挟持した状態で積層された吸収性本体１４と、吸収性本体１４の後身頃６の両側縁６ａ，６ｂから延出されたサイドフラップ８と、サイドフラップ８の先端部分に配設された、前身頃２と後身頃６とを固定するための止着テープ１０と、を備えたテープ型使い捨ておむつ１を意味するものとする。
【００２７】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２８】
また、「吸収性本体」とは、テープ型使い捨ておむつにおいて、着用者の排泄した尿を吸収し保持する機能を担う部材であり、上述したように、前身頃、股下部、及び後身頃から構成され、複数のシートが吸収体を挟持した状態で積層されたものである。例えば、このような吸収性本体としては、図１に示すように、吸収体２２と、吸収体２２の内面を被覆するように配置された内面シート１８と、吸収体２２の外面を被覆するように配置された外面シート２０とを構成要素として有し、吸収体２２が内面シート１８と外面シート２０との間に挟持された状態で固定され、一体化された部材を挙げることができる。
【００２９】
また、「サイドフラップ」とは、吸収性本体の後身頃の左右の側縁部分において、その吸収性本体よりも側方の領域に張り出した部位によって構成されたものをいう。このようなサイドフラップは、おむつ着用時において、着用者の脇腹を覆う部位となる。なお、図１においては、吸収性本体１４の前身頃２にも、後身頃６のサイドフラップ８よりも小さなサイドタブ３８を備えた場合の例を示しているが、この前身頃２の両側縁２ａ，２ｂから延出されたサイドタブ３８は、必ずしも吸収性本体１４から延出されていなくともよい。
【００３０】
また、「止着テープ」とは、テープ型使い捨ておむつを着用する際に、おむつの前身頃と後身頃とを固定するための部材であり、本発明のテープ型使い捨ておむつにおいては、前身頃の被止着部に対して止着を行うファスナー部と、ファスナー部を配設するための基材とによって構成されている。なお、ファスナー部としては、メカニカルファスナーのフック材や粘着剤の粘着力により固定を行う粘着ファスナーを挙げることができる。
【００３１】
上述した「フック材」とは、メカニカルファスナー（面状ファスナーとも称される）の凸部材であり、凹部材であるループ材との機械的結合により固定を行うことができるものである。「フック材」としては、例えば、表面に多数の突起（鉤状、きのこ状、錨状等）が形成されたものが用いられる。
【００３２】
また、止着テープの「基材」とは、一方の端部付近にフック材等が付設され、且つ他方の端部が、例えば、テープ型使い捨ておむつのサイドフラップの先端に固定されることによって、止着テープの本体として機能するものである。
【００３３】
［１］テープ型使い捨ておむつ：
図１は、本発明のテープ型使い捨ておむつの一の実施形態を示す平面図であり、テープ型使い捨ておむつを展開し、トップシート側から見た状態を示す図である。また、図２は、図１に示すテープ型使い捨ておむつのサイドフラップを拡大した拡大図であり、図３は、本発明のテープ型使い捨ておむつのサイドフラップの一例を示す平面図である。
【００３４】
図１〜図３に示すように、本発明のテープ型使い捨ておむつ１は、サイドフラップ８の根元側の部分８ｂにおける、止着テープ１０の引張方向Ｘにおける伸張応力Ｐｂが、サイドフラップの先端側の部分８ａにおける、止着テープ１０の引張方向Ｘにおける伸張応力Ｐａよりも大となるように構成されてなるテープ型使い捨ておむつ１である。
【００３５】
このように構成されたサイドフラップ８を備えた本発明のテープ型使い捨ておむつ１は、おむつを着用する際に、止着テープ１０を簡便に止着することができるとともに、良好な着用感を得ることができる。
【００３６】
即ち、本発明のテープ型使い捨ておむつ１は、止着テープ１０が接続されているサイドフラップ８が、吸収性本体１４から延出される根元側の部分８ｂよりも、止着テープ１０が接続されている先端側の部分８ａが小さな力で伸縮するように構成されているため、幼児等が暴れてしまい、時間的ゆとりがない状況でのおむつ交換の際に、止着テープ１０を簡単に引き伸ばして前身頃２に固定することができ、短時間でおむつの交換を行うことができる。
【００３７】
特に、おむつを着用させる際に、止着テープ１０（換言すれば、止着テープ１０と接続されたサイドフラップ８）を伸ばし気味に取り付けても、その後、サイドフラップ８内で力が分散されるため、適当な着用状態となり、良好な着用感を得ることができる。即ち、動き回る幼児等に対しては、動きを封じるようにしっかりと押さえて、多少強め（きつめ）に止着テープ１０を取り付けても、サイドフラップ８によって力が分散されて、おむつ着用中においては、良好な着用感を得ることができる。
【００３８】
例えば、従来のテープ型使い捨ておむつのサイドフラップは、全体が一様な素材のシートによって形成されているため、上述したような激しく動いている幼児等におむつを着用させる場合には、止着テープを引き伸ばし過ぎてしまってウエスト周りの締め付けがきつくなってしまったり、逆に、止着テープを十分に引き伸ばすことができず、ウエスト周りがゆるくなってしまうことがあり、適当な締め付け状態（着用状態）にて着用させることが極めて困難である。
【００３９】
本発明のテープ型使い捨ておむつ１のサイドフラップ８は、止着テープ１０が接続されている先端側の部分８ａが小さな力で伸縮するように構成されているため、おむつを着用させた後に、ウエスト周りに掛かる力を、先端側の部分８ａと根元側の部分８ｂとで相殺させて、より適当な着用状態とすることができる。
【００４０】
また、本発明のテープ型使い捨ておむつ１において、サイドフラップ８の先端部分８ａに伸縮性がある効果は以下の通りである。止着テープ１０に用いられるメカニカルファスナーのフック材は、先端が様々な形状のフック状になった突起が、例えば、１インチ角あたりに数百個〜２千個程度が設けられたものであり、この突起が、フック材と対になるループ材に押し付けた際に係合力が発揮される。したがって、フック材は、対となるループ材に押し付けた後に少しせん断力をかける、即ち、横に引っ張ると係合力が増して安定する。本発明においては、サイドフラップ８の先端部分８ａに伸縮性が付与されているため、止着テープ１０を係合させる際に、サイドフラップ８を伸張状態にすることができる。このため、サイドフラップ８が収縮した時に、止着テープ１０にフック材をより強固に係合させることができるという効果がある。
【００４１】
なお、本明細書において、「止着テープの引張方向」とは、止着テープの先端（即ち、止着テープのサイドフラップに接続された側の端部とは反対側の端部）を、おむつの外側（即ち、吸収性本体の側縁に垂直な方向）に向けて引っ張った場合に、サイドフラップが止着テープによって引っ張られる方向を意味する。本発明において、止着テープが、吸収性本体の側縁に対して垂直な方向に延出されている場合には、「吸収性本体の側縁に対して垂直な方向」が、上記止着テープの引張方向となる。
【００４２】
サイドフラップの「止着テープの引張方向における伸張応力」は、サイドフラップから所定の大きさの試験片を切り出し、この試験片の両端を、チャック（試験片の端部を締めつけて固定させる部材）等によって固定可能な引張試験機に配置し、その５０％伸張時に測定される応力のことである。なお、引張試験機としては、例えば、東洋精機社製の「ストログラフ（商品名）」、エー・アンド・デイ社製の「テンシロン（商品名）」等を挙げることができる。以下、サイドフラップの止着テープの引張方向における伸張応力の測定方法について具体的に説明する。
【００４３】
まず、伸張応力の測定を行うサイドフラップから、長さ４０ｍｍ、幅２５ｍｍの試験片を切り出す。即ち、図４Ａに示すように、サイドフラップ８の先端側の部分８ａと、サイドフラップ８の根元側の部分８ｂとを、長さ４０ｍｍ、幅２５ｍｍとなるように切り出し、それぞれの部分の試験片９（９ａ，９ｂ）を作製する。なお、試験片９を作製する際には、試験片９の長さ方向が、止着テープ１０の引張方向となるようにする。また、試験片９を作製する際には、図４Ａに示すように、サイドフラップ８の幅方向の中心線が、試験片９の長さ方向の中心線となるように作製することが好ましい。ここで、図４Ａは、サイドフラップの止着テープの引張方向における伸張応力を測定する際の、試験片の作製方法を示す平面図である。
【００４４】
次に、図４Ｂに示すように、得られた試験片９（図４Ｂにおいては、サイドフラップの先端側の部分から作製した試験片９ａの場合を示している）を、チャック６２間距離２０ｍｍで引張試験機６０に固定する。なお、チャック６２に固定する際には、試験片９の長さ方向の両端部を、チャック６２，６２にそれぞれ固定する。図４Ｂにおいては、それぞれのチャック６２に、試験片９の端部を１０ｍｍずつ固定した場合の例を示している。また、試験片９を固定する場合には、試験片９の長手方向が、引張試験機６０の引張方向Ｙとなるように固定する。
【００４５】
次に、図４Ｃに示すように、引張試験機６０のチャック６２に固定した試験片９を、２００ｍｍ／分の速度で引っ張り、５０％伸張時（チャック間距離３０ｍｍ時）における応力を測定する。この測定によって得られた応力（Ｎ／２５ｍｍ）を、サイドフラップ８（図４Ａ参照）の各部分（各試験片９を作製した部分）における伸張応力とする。ここで、図４Ｂ及び図４Ｃは、伸張応力の測定方法を説明するための平面図である。
【００４６】
なお、伸張応力の測定においては、試験片の幅を２５ｍｍとし、且つチャック間距離を２０ｍｍ確保することができ、更に、測定中にチャックから試験片が外れることがない程度にしっかりと固定することができれば、試験片の長さや、試験片の端部形状（チャックに固定する部位の形状）については、上記したものに限定されることはない。即ち、図４Ｂ及び図４Ｃにおいては、測定の便宜上、試験片を４０ｍｍ×２５ｍｍの長方形としているが、例えば、サイドフラップの先端側の部分と根元側の部分とから、幅２５ｍｍの試験片を切り出して、チャック間距離が２０ｍｍとなるように伸張応力の測定を行うことが可能であれば、図４Ａ〜図４Ｃに示す測定と同様の測定結果を得ることができる。
【００４７】
以下、本発明のテープ型使い捨ておむつの各構成要素について更に具体的に説明する。
【００４８】
［１−１］サイドフラップ：
図１〜図３に示すように、本発明のテープ型使い捨ておむつ１は、吸収性本体１４の後身頃６の両側縁６ａ，６ｂから延出されたサイドフラップ８を備えている。そして、このサイドフラップ８の先端には、おむつの前身頃２と後身頃６とを固定するための止着テープ１０が配置されている。
【００４９】
本発明のテープ型使い捨ておむつ１のサイドフラップ８は、サイドフラップ８の根元側の部分８ｂにおける、止着テープ１０の引張方向Ｘにおける伸張応力Ｐｂが、サイドフラップの先端側の部分８ａにおける、止着テープ１０の引張方向Ｘにおける伸張応力Ｐａよりも大となるように構成されているため、おむつを着用する際に、止着テープ１０を簡便に止着することができるとともに、良好な着用感を得ることができる。
【００５０】
なお、サイドフラップ８の先端側の部分８ａ及び根元側の部分８ｂの具体的な伸張応力Ｐａ，Ｐｂの大きさは、おむつの適用対象（例えば、乳幼児用、成人用）や、その大きさ（例えば、Ｓサイズ、Ｍサイズ、Ｌサイズ等）によって、着用者の体型等に応じて適宜選択することができるが、例えば、サイドフラップ８の先端側の部分８ａにおける、５０％伸張時の伸張応力Ｐａ（５０）は、１．５〜４Ｎ／２５ｍｍであり、２〜３Ｎ／２５ｍｍであることが好ましい。
【００５１】
なお、先端側の部分８ａにおける５０％伸張時の伸張応力Ｐａ（５０）が、１．５Ｎ／２５ｍｍ未満であると、サイドフラップの先端側の部分の強度が低下し、サイドフラップが破損することがあり、４Ｎ／２５ｍｍを超えると、伸張応力が大きくなり過ぎ、先端側の部分８ａが十分に伸張しないことがある。
【００５２】
また、サイドフラップ８の根元側の部分８ｂにおける、５０％伸張時の伸張応力Ｐｂ（５０）は、２．５〜７．５Ｎ／２５ｍｍであり、４〜６Ｎ／２５ｍｍであることが好ましい。
【００５３】
なお、根元側の部分８ｂにおける５０％伸張時の伸張応力Ｐｂ（５０）が、２．５Ｎ／２５ｍｍ未満であると、止着テープ１０を強く引っ張った場合に、先端側の部分８ａとともに根元側の部分８ｂも伸張してしまうため、ウエスト周りを締めすぎた場合に、力を緩和することが困難になることがあり、７．５Ｎ／２５ｍｍを超えると、根元側の部分８ｂの伸張応力が大きくなり過ぎて、先端側の部分８ａに掛かる力を緩和することができず、先端側の部分８ａのみが伸びきったままになってしまうことがある。なお、上記した好ましい伸張応力の範囲においても、伸張応力Ｐｂ（５０）は伸張応力Ｐａ（５０）よりも大きくなる。また、伸張応力Ｐｂ（５０）は、伸張応力Ｐａ（５０）の１．５倍〜２．５倍の大きさである。このようにすると、先端側の部分８ａが根元側の部分８ｂより伸びすぎて、根元側の部分８ｂが伸びることができなかったり、根元側の部分８ｂが容易に伸びて先端側の部分８ａが十分に伸びられなかったりすることがなく、上述した本発明の効果を良好に得ることが可能となる。
【００５４】
本発明において、サイドフラップを、先端側の部分と根元側の部分との二つの部分に分ける場合には、サイドフラップの止着テープの引張方向における先端側の３０〜７０％の範囲を先端側の部分とし、また、根元側の３０〜７０％の範囲を根元側の部分とする。
【００５５】
このようなサイドフラップは、例えば、通気撥水性材料からなるシート等に、伸縮弾性体が配置されたもの、或いは、伸縮弾性体がフィルム状によって構成されたシートなどによって形成することができる。
【００５６】
例えば、図３に示すサイドフラップ８は、伸縮弾性体が、フィルム状に形成されたものである。より具体的には、図３に示すサイドフラップ８は、同じ弾性率を有するフィルム状の伸縮弾性体５４ａ，５４ｂを含んでなり、フィルム状に形成された伸張弾性体５４ａ，５４ｂが、根元側の部分８ｂに二層以上に積層された状態で、サイドフラップ８を構成するシート５８に配置されている。そして、二層以上に積層された伸張弾性体５４ｂによって、伸張応力Ｐｂが大きな根元側の部分８ｂが形成され、伸縮弾性体５４ａによって、伸張応力Ｐａが小さな先端側の部分８ａが形成されている。なお、図３においては、先端側の部分８ａに伸張弾性体５４ａが一層（一枚）配置され、根元側の部分８ｂに伸張弾性体５４ｂが二層積層された場合の例を示している。
【００５７】
このような、伸張弾性体５４ｂが、根元側の部分８ｂに二層以上に積層された状態で配置されているサイドフラップ８は、根元側の部分８ａにコシがあるため、止着テープが吸収性本体から外れ難くなっている。なお、フィルム状の伸縮弾性体５４ａ，５４ｂとしては、それぞれ異なる弾性率を有するフィルム状の伸縮弾性体を用い、根元側の部分８ｂにおける伸張応力Ｐｂが、先端側の部分８ａにおける伸張応力Ｐａよりも大となるように配置されたものであってもよい。
【００５８】
また、本発明のテープ型使い捨ておむつにおいては、例えば、図５に示すように、サイドフラップ８が、フィルム状に形成された二種類の伸縮弾性体５５ａ，５５ｂを有し、これらの伸縮弾性体５５ａ，５５ｂが、先端側の部分８ａと根元側の部分８ｂとにそれぞれ並列に配置されていてもよい。ここで、図５は、本発明のテープ型使い捨ておむつのサイドフラップの他の例を示す平面図である。なお、図５においては、伸縮弾性体５５ａが先端側の部分８ａと根元側の部分８ｂとの全域を覆うように配置され、根元側の部分８ｂに伸縮弾性体５５ｂが配置された場合の例を示している。
【００５９】
このように構成することによって、伸張応力の異なるフィルム状の伸縮弾性体を選択すればよいため、製造設備が簡単になる。また、伸縮弾性体を伸張状態で基材の上に固定した場合は、伸縮弾性体が縮むことによって、サイドフラップが縮んでシワになることがあるが、このような構成とすることによって、サイドフラップにシワが生じ難くなり、サイドフラップの見栄えも良好であり、また、使い易さにも優れたものとなる。
【００６０】
また、本発明のテープ型使い捨ておむつにおいては、伸縮弾性体が、先端側の部分と根元側の部分とにそれぞれ配置され、サイドフラップの根元側から先端側に向かう方向の中央部分にて、二以上の伸縮弾性体が重なった状態で配置されているものであってもよい。例えば、図６においては、サイドフラップ８が、フィルム状に形成された二種類の伸縮弾性体５６ａ，５６ｂを有し、これらの伸縮弾性体５６ａ，５６ｂが、先端側の部分８ａと根元側の部分８ｂとにそれぞれ配置され、サイドフラップ８の根元側から先端側に向かう方向の中央部分８ｃにて、これらの伸縮弾性体５６ａ，５６ｂが重なった状態で配置された場合の例を示している。
【００６１】
このように構成することによって、止着テープのタブを引っ張った力が伸縮弾性体５６ａを通して伸縮弾性体５６ｂに伝達され易く、伸縮弾性体５６ｂが伸張し易くなる。
【００６２】
更に、図７に示すように、サイドフラップ８が、フィルム状に形成された伸縮弾性体５７を有し、この伸縮弾性体５７が、伸張応力の高いゾーン５７ｂと伸張応力の低いゾーン５７ａとが連続するように形成されたものであってもよい。このようなサイドフラップ８は、一枚の連続フィルムによって、本発明のテープ型使い捨ておむつに必要な伸縮弾性体が構成されているため、製造設備が簡便なものとなる。
【００６３】
ここで、図６及び図７は、本発明のテープ型使い捨ておむつのサイドフラップの更に他の例を示す平面図である。
【００６４】
図３に示すようなサイドフラップ８に使用されるフィルム状に形成された伸張弾性体としては、例えば、熱可塑性エラストマーからなるものを好適例として挙げることができる。熱可塑性エラストマーとしては、例えば、ポリウレタン系エラストマー、オレフィン系エラストマー、スチレン系エラストマー、ポリエステル系エラストマー等を挙げることができる。
【００６５】
上述した熱可塑性エラストマーは、熱エンボスを加えることによって伸びを抑制することができる。即ち、伸張応力を高めることができる場合がある。このような素材を選択した場合、連続した熱可塑性エラストマーフィルムの一部分に熱エンボスを加えることによって、熱エンボスを加えた伸張応力が高い領域と、熱エンボスを加えない伸張応力が低い領域とを設けることができる。このようにして得られたフィルムを、伸張性が高い不織布でサンドイッチすることによって、サイドフラップを形成してもよい。
【００６６】
また、サイドフラップ８を構成するシート５８としては、液の透過に対して抵抗性を示す通気撥水性材料からなるシート（例えば、通気撥水性シート）が採用されることが多い。この場合、通気撥水性シートとしては、カードエンボス、スパンボンド等の製法により製造された不織布等を用いることができるが、防水性の高いＳＭＳ、ＳＭＭＳ等の不織布シートを用いることが更に好ましい。
【００６７】
サイドフラップを構成するシートに伸縮弾性体を配置する場合には、例えば、接着剤、又はその他の手段により固定することができる。固定方法としては、例えば、ホットメルト接着剤、その他の流動性の高い接着剤を用いた接着方法や、ヒートシールをはじめとする熱や超音波等による溶着による方法などを挙げることができる。
【００６８】
更に、本発明のテープ型使い捨ておむつにおいては、図８に示すように、二以上の異なる弾性率を有する伸縮弾性体５０ａ，５０ｂを含んでなるものであってもよい。より具体的には、図８に示すサイドフラップ８は、サイドフラップ８を構成するシート５８に、二以上の異なる弾性率を有する伸縮弾性体５０ａ，５０ｂが伸張状態で貼着されており、この二以上の異なる弾性率を有する伸縮弾性体５０ａ，５０ｂを貼着することによって、伸張応力Ｐｂが大きな根元側の部分８ｂと、伸張応力Ｐａが小さな先端側の部分８ａとが形成されている。なお、図８に示すサイドフラップ８は、二種類の伸縮弾性体５０ａ，５０ｂを用いた場合の例を示しているが、例えば、図示は省略するが、伸張応力Ｐｂが大きな根元側の部分と、伸張応力Ｐａが小さな先端側の部分とを形成することができるものであれば、三つの異なる弾性率を有する伸縮弾性体を含んでなるサイドフラップであってもよい。
【００６９】
このような、二以上の異なる弾性率を有する伸縮弾性体５０ａ，５０ｂを含んでなるサイドフラップ８は、根元側の部分８ｂより先端側の部分８ａのほうが伸び易くなる。このため、おむつを着用させた後に、ウエスト周りに掛かる力を、先端側の部分８ａと根元側の部分８ｂとで相殺させて、より適当な着用状態とすることができる。即ち、止着テープ１０を引き伸ばして多少きつめに締め付けたとしても、おむつを着用した後に、徐々に根元側の部分８ｂが伸張して、適当な締め付け状態に移行させることができる。
【００７０】
また、本発明のテープ型使い捨ておむつにおいては、例えば、図９に示すように、同じ弾性率を有する伸縮弾性体５１ａ，５１ｂを含んでなり、先端側の部分８ａと根元側の部分８ｂとで、その伸縮弾性体５１ａ，５１ｂが、異なる伸張状態でサイドフラップ８を構成するシート５８に貼着されているものであってもよい。即ち、図９に示すサイドフラップ８においては、伸縮弾性体５１ａ，５１ｂの伸張状態を異なるものとすることによって、伸張応力Ｐａが小さな先端側の部分８ａと、伸張応力Ｐｂが大きな根元側の部分８ｂとが形成されている。なお、伸縮弾性体５１ａ，５１ｂ及びサイドフラップ８を構成するシート５８は、図８に示す伸縮弾性体及びシートと同様に構成されたものを用いることができる。
【００７１】
このような、異なる伸張状態で伸縮弾性体５１ａ，５１ｂをシート５８に貼着させたサイドフラップ８は、サイドフラップ８の縮み具合が違う領域（即ち、先端側の部分と根元側の部分）が二つあることが容易に判別できるため、使用者が意識して各領域を伸張させながらサイドフラップ８を使用することができる。ここで、図８及び図９は、本発明のテープ型使い捨ておむつのサイドフラップの更に他の例を示す平面図である。
【００７２】
なお、図示は省略するが、例えば、先端側の部分の伸張応力Ｐａが小となり、根元側の部分の伸張応力Ｐｂが大となるサイドフラップであれば、異なる弾性率を有する伸縮弾性体を、異なる伸張状態でシートに貼着させて構成されたサイドフラップであってもよい。
【００７３】
また、本発明のテープ型使い捨ておむつにおいては、例えば、図１０に示すように、同じ弾性率を有する伸縮弾性体５２ａ，５２ｂを含んでなり、伸張弾性体５２ａ，５２ｂが、先端側の部分８ａよりも、根元側の部分８ｂに多くの量配置されたサイドフラップ８であってもよい。即ち、図１０に示すサイドフラップ８においては、根元側の部分８ｂに多く量の伸縮弾性体５２ｂを配置することによって、根元側の部分８ｂの伸張応力Ｐｂを、先端側の部分８ａと比較して大きくなるように構成している。
【００７４】
このような、根元側の部分８ｂに多く量の伸縮弾性体５２ｂを配置したサイドフラップ８は、見た目で伸張力が違うことを判別できるため、使用者が意識してサイドフラップを伸張させながら使用することができる。
【００７５】
また、例えば、図１１に示すように、先端側の部分８ａと根元側の部分８ｂとで同じ量の伸張弾性体５３ａ，５３ｂを配置した後、先端側の部分８ａに配置した伸張弾性体５３ａ’の一部を切断してスナップバックさせることにより、切断した伸張弾性体の収縮力が作用しないようにしたサイドフラップ８であってもよい。このように、先端側の部分８ａの一部の伸張弾性体５３ａ’を切断することによって、図１１に示すようサイドフラップのように、相対的に根元側の部分８ｂの伸張弾性体５３ｂの量を増やすことができる。
【００７６】
ここで、図１０及び図１１は、本発明のテープ型使い捨ておむつのサイドフラップの更に他の例を示す平面図である。なお、図１１における符号５９は、伸張弾性体５３ａ’の一部を切断した切れ目を示す。
【００７７】
また、図１０及び図１１においては、同じ弾性率を有する伸縮弾性体を用いた場合の例を示しているが、先端側の部分の伸張応力Ｐａが小となり、根元側の部分の伸張応力Ｐｂが大となるサイドフラップであれば、異なる弾性率を有する伸縮弾性体を用い、更に、シートに配置する伸縮弾性体の量を異なるように配置してもよい。
【００７８】
また、図８に示すような伸縮弾性体５０ａ，５０ｂとしては、例えば、ウレタン製の糸ゴム等を用いることができる。例えば、東レオペロンテックス株式会社製の「ライクラ（商品名）」、旭化成せんい株式会社製の「ロイカ（商品名）」等を挙げることができる。また、天然ゴム、合成ゴム、或いは、これらを混合したゴムを主原料とし、この主原料をリボン状に成形した伸縮弾性体を用いることもできる。このような伸縮弾性体としては、例えば、株式会社アサヒテック社製の「シルバークイーン（商品名）」等を挙げることができる。
【００７９】
［１−２］吸収性本体：
本発明のテープ型使い捨ておむつは、着用者の排泄した尿を吸収し保持する機能を担う部材として、吸収性本体を備えている。この吸収性本体は、複数のシートが吸収体を挟持した状態で積層されたものであり、例えば、図１に示すように、前身頃２、股下部４及び後身頃６の各部から構成され、吸収体２２と、吸収体２２の内面を被覆するように配置された内面シート１８と、吸収体２２の外面を被覆するように配置された外面シート２０とを構成要素として有し、吸収体２２が内面シート１８と外面シート２０との間に挟持された状態で固定され、パッド状に一体化された部材を挙げることができる。
【００８０】
なお、上記した「吸収体の内面」とは、テープ型使い捨ておむつを着用した際に、着用者の肌側に位置する面をいい、一方、上記した「吸収体の外面」とは、テープ型使い捨ておむつを着用した際に、着用者の着衣側に位置する面をいう。
【００８１】
なお、本発明のテープ型使い捨ておむつは、サイドフラップの根元側の部分における、止着テープの引張方向における伸張応力Ｐｂが、サイドフラップの先端側の部分における、止着テープの引張方向における伸張応力Ｐａよりも大となるように構成されている限り、吸収性本体の構成については特に制限はなく、例えば、従来公知のテープ型使い捨ておむつに用いられる吸収性本体と同様に構成された吸収性本体を用いることもできる。以下、吸収性本体の各構成要素について具体的に説明する。
【００８２】
［１−２ａ］内面シート：
内面シートは、着用者の肌側に位置する面に配置されるシートである。このため、内面シートは、その少なくとも一部が液透過性シートによって構成されていることが好ましい。このように構成することによって、尿が液透過性シートを透過して速やかに吸収体に到達し、吸収保持することが可能となる。なお、少なくとも一部が液透過性シートにより構成されている限り、必ずしも内面シート全体が液透過性シートによって構成されている必要はない。液透過性シートは、液透過性を有するシートであれば、シートの材質については特に制限はないが、例えば、織布、不織布、多孔性フィルム等を挙げることができる。
【００８３】
なお、内面シートの更に好適な例としては、液透過性の不織布を挙げることができる。このような液透過性の不織布を用いることによって、肌触りが良好で、吸液後の表面のさらっと感を向上させることができる。
【００８４】
［１−２ｂ］外面シート：
外面シートは、着用者の着衣側に位置する面に配置されるシートである。外面シートは吸収体に吸収された尿を、吸収性本体の外部に漏らさないように、尿を透過しない液不透過性シートや、尿を透過しにくいが、加圧を掛けることによって透過可能な液低透過性シートによって構成されていることが好ましい。
【００８５】
上記した液不透過性シートとしては、一般的な吸収性製品に使用されている、ポリエチレンフィルムを好適例として挙げることができる。このようなポリエチレンフィルムには、透湿性ポリエチレンフィルムと非透湿性ポリエチレンフィルムとがあり、いずれのフィルムも外面シートとして用いることができるが、透湿性ポリエチレンフィルムをより好適に用いることができる。このような透湿性ポリエチレンフィルムを外面シートとして使用することにより、着用中にムレが少なくなり、おむつを着用した際の快適性を向上させることができる。
【００８６】
また、上記した液低透過性シートとしては、耐水圧の高い不織布を好適例として挙げることができる。耐水圧の高い不織布としては、例えば、ＳＭＳ（スパンボンド／メルトブロー／スパンボンド）、ＳＭＭＳ（スパンボンド／メルトブロー／メルトブロー／スパンボンド）等の不織布が好ましい。
【００８７】
［１−２ｃ］吸収体：
吸収体は、一般的な吸収性製品に使用されている吸収体を用いることができる。例えば、吸収体を構成する吸収材としては、木材パルプを綿状に粉砕したフラッフパルプと高吸水性樹脂（以下、「ＳＡＰ」ということがある）を好適例として挙げることができる。
【００８８】
なお、必要に応じて、上記吸収材をラップするために、吸水紙や親水化処理した不織布を更に有していてもよい。即ち、上記吸水紙や親水化処理した不織布によってフラッフパルプとＳＡＰとを含む吸収材を包んでなる吸収体であってもよい。このような構成は、吸収体からＳＡＰが漏洩することを防止し、吸収体に形状安定性を付与することができるという利点がある。
【００８９】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示すテープ型使い捨ておむつ１は、吸収体２２として、矩形状の吸収体を用いた例である。
【００９０】
［１−３］止着テープ：
本発明のテープ型使い捨ておむつは、後身頃と前身頃とを固定するためのテープ状のファスナーである止着テープを備えている。テープ型使い捨ておむつを着用する際には、この止着テープを、前身頃（例えば、前身頃に形成された被止着領域）に止め付けることによって、おむつ全体をパンツ型とすることができ、着用者に対しておむつを装着させることが可能となる。この止着テープは、吸収性本体の後身頃の両側縁から延出されたサイドフラップの先端側に少なくとも１つずつ配置されている。
【００９１】
図１に示すテープ型使い捨ておむつ１は、後身頃６の左右の側縁６ａ，６ｂから延出されたサイドフラップ８の先端側に、それぞれ１つずつ止着テープ１０を備えており、この止着テープ１０は、例えば、布製等の基材４８の先端近傍に、メカニカルファスナーのフック材４４ａからなるファスナー部４４が形成されている。なお、吸収性本体の前身頃には、メカニカルファスナーのループからなる被止着領域が形成されており、止着テープ１０のフック材４４ａを固定することが可能なように構成されていることが好ましい。このように構成することによって、テープ型使い捨ておむつ１の後身頃６を前身頃２に固定することができ、テープ型使い捨ておむつ１を着用者に装着させることが可能となる。
【００９２】
なお、本発明のテープ型使い捨ておむつ１においては、サイドフラップ８の先端側の部分８ａと根元側の部分８ｂとで、その伸張応力が異なるように構成されているため、止着テープ１０を前身頃２側に引っ張った場合には、サイドフラップ８の先端側の部分８ａがより伸張し、この状態で、止着テープ１０が前身頃２に固定された後、サイドフラップ８に掛かる力（換言すれば、サイドフラップの部分的な伸張状態）が、少ない力で伸張する先端側の部分８ａと、より大きな力で伸張する根元側の部分８ｂとで相殺（緩衝）されて、良好な着用感を得ることができる。
【００９３】
［１−４］立体ギャザー：
また、本発明のテープ型使い捨ておむつは、着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【００９４】
立体ギャザーの構成は、従来のテープ型使い捨ておむつに使用されている構成を採用することができる。例えば、撥水性のシート材の一部に伸縮材を配置（例えば、図１に示すように、立体ギャザー伸縮材３６（３６ａ，３６ｂ）を配置）し、その立体ギャザー伸縮材によってシート材にギャザー（襞）を形成したもの等を好適に用いることができる。
【００９５】
なお、立体ギャザーは、吸収性本体を構成するシート（例えば、内面シート）とは全く別個のシート材により形成してもよいが、吸収性本体を構成する複数のシートのうちの少なくとも一枚のシートを折り返すことにより形成してもよい。
【００９６】
この立体ギャザーは、股下部からの漏れを防止するため、少なくとも股下部に形成されていればよいが、前身頃や後身頃に形成されていてもよい。例えば、図１に示すテープ型使い捨ておむつ１は、おむつの長手方向に沿って、股下部４から前身頃２と後身頃６の双方にかけて連続的に、一対の立体ギャザー２６（２６ａ，２６ｂ）が形成されている例を示している。なお、立体ギャザーは、少なくとも一対形成する必要があるが、二対以上形成してもよい。
【００９７】
立体ギャザーは、おむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。
【００９８】
［１−５］各種伸縮材：
本発明のテープ型使い捨ておむつは、脚周り伸縮材及びウエスト周り伸縮材が更に配置されたものであってもよい。
【００９９】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿等がその凹部に溜まり、尿をこぼすことなく、容易におむつの交換を行うことができる。
【０１００】
例えば、図１に示すテープ型使い捨ておむつ１は、吸収性本体１４の長手方向に沿って、直線的に三本の脚周り伸縮材４０を配置してレグギャザーを形成した例である。この脚周り伸縮材４０は、糸ゴムによって構成されている。なお、脚周り伸縮材は、必ずしも直線的に配置する必要はなく、例えば、おむつの脚周り開口部のカーブに沿って曲線的に配置してもよい。
【０１０１】
脚周り伸縮材は、例えば、図１に示すテープ型使い捨ておむつ１のように、立体ギャザー２６の起立線より外側の部分に配置されていることが好ましい。このように構成することによって、立体ギャザーの十分な防漏効果を確保しつつ、股下部の装着感を向上させることができる。
【０１０２】
なお、図１に示すテープ型使い捨ておむつ１は、脚周り伸縮材４０の形状、配置位置、配置数等を左右対称とした例を示したが、左右の脚周り伸縮材４０が非対称となるように配置してもよい。そして、図１に示すテープ型使い捨ておむつ１では、脚周り伸縮材４０を片側につき三本配置した例を示しているが、脚周り伸縮材４０の本数については特に制限はない。また、複数の脚周り伸縮材を用いる場合には、その太さや伸張率等も目的に応じて適宜設定することができる。
【０１０３】
次に、ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる。また、着用者へのおむつのフィット性が良好となり、おむつのずり下がりを防止することができる。
【０１０４】
図１に示すテープ型使い捨ておむつ１は、その後身頃６の端縁及び前身頃２の端縁に沿って帯状のウエスト周り伸縮材４２を配置した例である。この帯状のウエスト周り伸縮材４２は、ウレタンフォーム等の伸縮性フォームによって構成することができる。なお、図１においては、ウエスト周り伸縮材４２を、後身頃６（背側）と前身頃２（腹側）の両方に配置した場合の例を示しているが、後身頃の端縁のみに配置してもよい。
【０１０５】
なお、これらの伸縮材については、ギャザーの収縮の程度等を勘案した上で、構成材料、その材料の伸張率、固定時の伸張状態等を決定することができる。
【０１０６】
上記伸縮材としては、従来の使い捨ておむつなどの吸収性物品に使用されている伸縮材を用いることができる。具体的には、天然ゴムや合成ゴム（ウレタンゴム等）の弾性材からなる糸ゴム、平ゴム、伸縮性ネット、伸縮性フィルム、伸縮性フォーム（ウレタンフォーム等）等を挙げることができる。
【０１０７】
また、上記伸縮材は、十分な伸縮力を作用させるため、伸張状態で固定することが好ましい。例えば、伸縮材が天然ゴムや合成ゴムである場合には、１２０〜４００％の伸張状態で固定することが好ましく、２００〜３００％の伸張状態で固定することがより好ましい。このような範囲の伸張状態で固定することにより、十分な伸縮力を作用させることが可能となる。
【０１０８】
上記伸縮材は、接着剤、及びその他の手段により固定することができる。固定方法としては、例えば、ホットメルト接着剤、その他の流動性の高い接着剤を用いた接着方法や、ヒートシールをはじめとする熱や超音波等による溶着による方法などを挙げることができる。
【０１０９】
［２］テープ型使い捨ておむつの製造方法：
以下、本発明のテープ型使い捨ておむつの製造方法を、図１に示すテープ型使い捨ておむつ１を製造する場合の例で説明する。まず、複数の長尺のシート（例えば、外面シート２０及び内面シート１８を形成するための長尺のシート）によって吸収体２２が所定の間隔を空けて挟持された吸収性本体の連続体を形成する。
【０１１０】
次に、サイドフラップを形成するために、先端側の部分に配置される伸縮弾性体を構成するためのフィルム状の熱可塑性エラストマーと、根元側の部分に配置される伸縮弾性体を構成するためのフィルム状の熱可塑性エラストマーとを用意する。なお、先端側の部分に配置される伸縮弾性体を構成するための熱可塑性エラストマーは、根元側の部分に配置される熱可塑性エラストマーよりも伸張応力が低い熱可塑性エラストマーを用いる。
【０１１１】
そして、これらの熱可塑性エラストマーからなる伸縮弾性体を並列に配置し、配置した伸縮弾性体を不織布でサンドイッチ（挟持）する。この不織布は、挟持する熱可塑性エラストマーからなる伸縮弾性体（フィルム）の伸張性を阻害しないように、伸張可能な状態に配置する。なお、「伸張可能な状態」とは、不織布にシワやヒダを形成する前加工を施したりすることや、ウォータージェットのようなものでシート（不織布）の強度を弱めたりすることや、スパンレースのような、元来の伸張性が高い不織布を選択することも含まれる。
【０１１２】
熱可塑性エラストマーからなるフィルムは、不織布とホットメルト接着剤で接着することもできるし、また、熱エンボスで貼り合わせることもできる。このようにして得られたサイドフラップの一端に、フック材を貼り付けたファスナー部４４を、例えば、ホットメルトで貼り付け後、フック材を内側に折返し、得られたサイドフラップを吸収性本体の連続体の所定の位置に、吸収面と反対側の外側にヒートシールによって貼り付ける。その後、吸収性本体の所定の位置にサイドタブ３８をホットメルト接着剤で貼り付ける。このようなサイドフラップ８及びサイドタブ３８が貼り付けられた吸収性本体の連続体を、所定の長さに切断することにより、本発明のテープ型使い捨ておむつを製造することができる。
【産業上の利用可能性】
【０１１３】
本発明のテープ型使い捨ておむつは、乳幼児用、或いは介護を必要とする高齢者や障害者等の成人用のおむつとして好適に利用することができる。
【符号の説明】
【０１１４】
１，１００：テープ型使い捨ておむつ、２：前身頃、２ａ，２ｂ：側縁（前身頃の側縁）、４：股下部、６：後身頃、６ａ，６ｂ：側縁（後身頃の側縁）、８，１０８：サイドフラップ、８ａ：先端側の部分（サイドフラップの先端側の部分）、８ｂ：根元側の部分（サイドフラップの根元側の部分）、８ｃ：中央部分（サイドフラップの根元側から先端側に向かう方向の中央部分）、９，９ａ，９ｂ：試験片、１０，１１０：止着テープ、１４：吸収性本体、１８：シート（内面シート）、２０：シート（外面シート）、２２：吸収体、２６，２６ａ，２６ｂ：立体ギャザー、３６，３６ａ，３６ｂ：立体ギャザー伸縮材、３８：サイドタブ、４０：脚周り伸縮材、４２ウエスト周り伸縮材、４４：ファスナー部、４４ａ：フック材、４８：基材、５０ａ，５０ｂ，５１ａ，５１ｂ，５２ａ，５２ｂ，５３ａ，５３ａ’，５３ｂ：伸縮弾性体、５４ａ，５４ｂ，５５ａ，５５ｂ，５６ａ，５６ｂ，５７：伸縮弾性体（フィルム状に形成された伸張弾性体）、５７ａ：伸張応力の低いゾーン、５７ｂ：伸張応力の高いゾーン、５８：シート（サイドフラップを構成するシート）、５９：切れ目、６０：引張試験機、６２：チャック、Ｘ：止着テープの引張方向、Ｙ：引張試験機の引張方向。
【図１】
0005625357.tif 000002
【図２】
0005625357.tif 000003
【図３】
0005625357.tif 000004
【図４Ａ】
0005625357.tif 000005
【図４Ｂ】
0005625357.tif 000006
【図４Ｃ】
0005625357.tif 000007
【図５】
0005625357.tif 000008
【図６】
0005625357.tif 000009
【図７】
0005625357.tif 000010
【図８】
0005625357.tif 000011
【図９】
0005625357.tif 000012
【図１０】
0005625357.tif 000013
【図１１】
0005625357.tif 000014
【図１２】
0005625357.tif 000015